(57)【要約】      （修正有）【課題】カッターを取り外すときの負荷を軽減させて、カッターの取り外しがし易いカッター用ソケットを提供する。【解決手段】組付け部２１と、カッター差込側２２と、後側部２３を備える筒体２０を有する。筒体２０は、カッタースロット３０を有し、片側寄せの箇所に、取り外し用補助部品置き部５０を有する。取り外し用補助部品置き部５０は、筒体２０の後側部２３に貫通した第一開口側５１と、カッタースロット３０に連通している第二開口側５２とを有する。取り外し用補助部品置き部５０は、受動側６１と押付側６２とを有する。受動側６１は、第一開口側５１に突き出ている。受動側６１が押されると、押付側６２が第二開口側５２に突き出して、カッタースロット３０の中へ入り、カッター８０にこれを外側へ押し出す作用が作用し、カッター８０とカッタースロット３０との間の締まった嵌め合い状態が確実に解除される。【選択図】図４
0003148446.tif 000002
【実用新案登録請求の範囲】
【請求項１】
組付け部（２１）と、カッター差込側（２２）と、後側部（２３）を備える筒体（２０）を有し、
前記筒体（２０）は、前記カッター差込側（２２）に、凹み形状であるカッタースロット（３０）を有し、
前記筒体（２０）の内部であって、前記カッタースロット（３０）に対応する部位に、カッター位置固定構造（４０）が設けてあり、
前記カッター位置固定構造（４０）は、筒座（４１）と、前記筒座（４１）の片側の通し孔（４１０）の中に嵌合している位置固定ボール（４２）と、フレキシブルプッシュアップ構造部（４３）とを有し、
前記フレキシブルプッシュアップ構造部（４３）は、前記位置固定ボール（４２）を外側へ押し出して、前記通し孔（４１０）より外に突き出させて前記カッター（８０）の位置を固定し、
前記筒体（２０）の片側寄せの箇所に、前記筒体（２０）の後側部（２３）に貫通した第一開口側（５１）と、前記カッタースロット（３０）に連通している第二開口側（５２）とよりなる取り外し用補助部品置き部（５０）が形成してあり、
前記取り外し用補助部品置き部（５０）には、受動側（６１）と押付側（６２）とを有して、範囲を限定されてスライド状態に形成された取り外し用補助部品（６０）が嵌合して設けてあり、
前記取り外し用補助部品（６０）の前記受動側（６１）は、前記第一開口側（５１）に突き出ており、
前記取り外し用補助部品（６０）の前記受動側（６１）を前記第一開口側（５１）内に押し込むことによって、前記取り外し用補助部品（６０）の前記押付側（６２）が、前記第二開口側（５２）に突き出して、前記カッタースロット（３０）の中へ入り、前記カッタースロット（３０）の中へ差し込こまれているカッター（８０）を外側へ押し出し、カッター（８０）を取り外す補助機能を果たす、カッター用ソケット。
【請求項２】
前記筒体（２０）の後側部（２３）の中央には、開口穴（２４）が形成してあり、
前記開口穴（２４）の奥側には、該開口穴（２４）の中心側に突き出たフランジ部（２５）が形成してあり、
前記カッター位置固定構造（４０）の筒座（４１）の基部には内側壁（４１１）が形成してあり、該内側壁（４１１）が前記内縮壁縁（２５）に当たっており、
前記フレキシブルプッシュアップ構造部（４３）は、スプリング（４３１）とプッシュブロック（４３２）からなり、
前記プッシュブロック（４３２）の先端側には、錐縁部（４３３）が形成してあり、これが位置固定ボール（４２）に当たっており、
前記スプリング（４３１）は、前記プッシュブロック（４３２）と前記内側壁（４１１）との間に組み込んであり、前記プッシュブロック（４３２）を、前記カッター差込側２２の方向にプッシュアップする、請求項１記載のカッター用ソケット。
【請求項３】
前記取り外し用補助部品置き部（５０）は、柱体の形状である、請求項１記載のカッター用ソケット。
【請求項４】
前記取り外し用補助部品（６０）は、前記受動側（６１）の近くの部位に、凸環縁（６３）が形成してあり、
前記取り外し用補助部品置き部（５０）は、前記第一開口側（５１）に、前記凸環縁（６３）の変位を案内する動きを案内する拡張スロット（５３）が形成してあり、且つ、前記拡張スロット（５３）の開口側には、前記凸環縁（６３）を係止する止め環（５４）が固定してあり、前記取り外し用補助部品（６０）の移動する範囲が制限されて、前記取り外し用補助部品（６０）が前記取り外し用補助部品置き部（５０）から抜け出ることが防止される、請求項１記載のカッター用ソケット。
【請求項５】
前記凸環縁（６３）と拡張スロット（５３）の奥側壁（５３ａ）との間にプッシュアップスプリング（７０）が設けてあり、
該プッシュアップスプリング（７０）によって、前記取り外し用補助部品（６０）が前記受動側（６１）の方向に移動されて、前記受動側（６１）の方向へリセットされる、請求項１記載のカッター用ソケット。
【考案の詳細な説明】
【技術分野】
【０００１】
本考案はカッター用ソケットに係り、特にカッターの取り外し補助機能を持つオリジナルな構造設計に関する。
【背景技術】
【０００２】
カッター用ソケットは、自動切断加工装置の構造に用いられる部品の一つである。具体的に言えば、カッター用ソケットは、自動切削加工装置のカッター構造に組み入れ、並べられており、それにより、差し込まれたカッターを固定するように設けてある。
【０００３】
図１は従来のカッター用ソケット１０の構造を示す。カッター用ソケット１０は、図１に示すように、筒体１１の片側（Ｚ１側）にカッタースロット１２が形成してあり、このカッタースロット１２の中心に金属筒芯１３が設けてある。金属筒芯１３のＺ１側の近くに位置固定ボール１４が設けてある。
【０００４】
金属スライドバー１５が金属筒芯１３と筒体１１との真ん中を通るように設けてある。金属スライドバー１５のＺ２側の外周には、スプリング１６が設けてある。金属スライドバー１５の先端であるＺ１側には、凹形ガイド溝１７が形成してある。この凹形ガイド溝１７によって、位置固定ボール１４が外側に突き出し、又は内側に移動して開放状態となる。
【考案の開示】
【考案が解決しようとする課題】
【０００５】
この従来のカッター用ソケットの構造形態は、実際の使用経験に基づき、以下のような問題点を有する。
【０００６】
実際の使用過程において、カッターをカッター用ソケット１０のカッタースロット１２から取り出すとき、自動切削加工装置における制御装置が、金属スライドバー１５を自動的にプッシュアップし、位置固定ボール１４をカッター用ソケット１０の中心の方向に押し込んで開放状態にさせるようになっている。しかし、カッタースロット１２とカッターとの間は、テーパ形状の締まった状態の嵌め合いとなり、位置固定ボール１４が開放状態となったとしても、カッターは相変わらず、カッタースロット１２と締まった状態の嵌め合いとなっている。このため、自動切削加工装置のカッター取り外し用アームで、カッターをカッター用ソケット１０から取り出すとき、  カッタースロット１２とカッターとの間におけるテーパ形状の締まった状態から生じる反作用力を受けることになる。このため、カッター取り外し用アームは過度な荷重で、変形しやすくなり、動きの精度が悪くなり、使用寿命も短縮され、仕事の安全性にマイナス影響を及ぼすという問題点がある。
【０００７】
従って、従来のカッター用ソケット構造の問題点について、より理想的で、実用性のあるオリジナル構造を開発するのが、関連業者が更に努力、研究開発する目標と方法である。
【０００８】
それらに鑑みて、考案者は、関連製品の開発、設計に携わる長年の経験を持っており、上述の目標について設計を行い、詳しく評価して、実用性のある本考案が得られた。  
本考案の主要目的は、取り外し補助機能付きのカッター用ソケットを提供し、解決しようとする課題として、従来のカッター用ソケットにあるカッター取り外し用アームの使用上、過度な荷重で、変形しやすくなり、動きの精度が悪くなり、使用寿命も短縮され、仕事の安全性にマイナス影響を及ぼすという問題点について、改良することであり、カッター用ソケットの筒体はカッタースロットがあり、筒体内部におけるカッタースロットに対応する箇所にカッター位置固定構造が設けられ、それにより、カッターとの差込が位置固定されることになる。
【課題を解決するための手段】
【０００９】
本考案のカッター用ソケットは、組付け部２１と、カッター差込側２２と、後側部２３を備える筒体２０を有し、
前記筒体２０は、カッター差込側２２に、凹み形状であるカッタースロット３０を有し、
前記筒体２０の内部であって、前記カッタースロット３０に対応する部位に、カッター位置固定構造４０が設けてあり、
前記カッター位置固定構造４０は、筒座４１と、前記筒座４１の片側の通し孔４１０の中に嵌合している位置固定ボール４２と、フレキシブルプッシュアップ構造部４３とを有し、
前記フレキシブルプッシュアップ構造部４３は、前記位置固定ボール４２を外側へ押し出して、前記通し孔４１０より外に突き出させて前記カッター８０の位置を固定し、
前記筒体２０の片側寄せの箇所に、前記筒体２０の後側部２３に貫通した第一開口側５１と、前記カッタースロット３０に連通している第二開口側５２とよりなる取り外し用補助部品置き部５０が形成してあり、
前記取り外し用補助部品置き部５０には、受動側６１と押付側６２とを有して、範囲を限定されてスライド状態に形成された取り外し用補助部品６０が嵌合して設けてあり、
前記取り外し用補助部品６０の前記受動側６１は、前記第一開口側５１に突き出ており、前記押付側６２は、前記第二開口側５２に突き出して、前記カッタースロット３０の中へ入り、前記カッタースロット３０の中へ差し込こまれているカッター８０を外側へ押し出し、カッター８０を取り外す補助機能を果たす構成である。
【考案の効果】
【００１０】
従来の技術に比較すれば、本考案にあっては、自動切削加工装置におけるカッター用ソケットのカッタースロットからカッターを取り出すとき、取り外し用補助部品の動きにより、カッターを外へ突き出す作用力が生じられ、カッターとカッタースロットとの間の締まった嵌め合い状態が確実に解除され、カッター取り外し機構の負荷が軽減され、カッターへの取り外し用補助、保護が達成され、仕事の安全性が向上、装置の使用寿命が延びるという実用性、進歩性があり、産業利用効果に好適なものである。  
【考案を実施するための最良の形態】
【００１１】
以下、本考案の取り外し補助機能付きカッター用ソケットの最適な実施例について説明する。
【実施例１】
【００１２】
図２は本考案の実施例１になる取り外し補助機能付きのカッター用ソケットの斜視図である。図３は図２のカッター用ソケットを背面側から見て示す斜視図である。図４は図２のカッター用ソケットの縦断面図である。
【００１３】
Ｘ１−Ｘ２はカッター用ソケットＡの一方の幅方向、Ｚ１−Ｚ２は別の幅方向（高さの方向）、Ｚ１−Ｚ２は長手方向（軸線の方向）である。Ｚ１はカッター用ソケットＡの先端側の方向であり、Ｚ２はカッター用ソケットＡの基部側の方向である。
【００１４】
カッター用ソケットＡは、組付け部２１と、カッター差込側２２と、後側部２３を備える筒体２０を有する。
【００１５】
筒体２０のカッター差込側２２には、凹み形状のカッタースロット３０が設けてある。カッタースロット３０の内周面は錐状である。
【００１６】
筒体２０の内部であって、カッタースロット３０に対応する部位に、カッター位置固定構造４０が設けてある。カッター位置固定構造４０は、筒座４１と、位置固定ボール４２と、フレキシブルプッシュアップ構造部４３とを有する。位置固定ボール４２は、筒座４１の片側（Ｘ２側）の通し孔４１０の中に嵌合している。
【００１７】
フレキシブルプッシュアップ構造部４３は、位置固定ボール４２を外側（Ｚ１方向）へ押し出す。位置固定ボール４２は通し孔４１０より外に突き出て、カッター８０の位置を固定する。
【００１８】
筒体２０の片側寄せの箇所に、取り外し用補助部品置き部５０が形成してある。
【００１９】
取り外し用補助部品置き部５０は、筒体２０の後側部２３に貫通した第一開口側５１と、カッタースロット３０に連通している第二開口側５２とよりなる。
【００２０】
この取り外し用補助部品置き部５０には、柱体の形状であって、範囲を限定されてスライド状態に形成された取り外し用補助部品６０が嵌合して設けてある。
【００２１】
取り外し用補助部品６０は、受動側６１と押付側６２とを有する。
【００２２】
受動側６１は、第一開口側５１に突き出ている。押付側６２は、第二開口側５２に突き出して、カッタースロット３０の中へ入り、カッタースロット３０の中へ差し込こまれているカッター８０（図５参照）を外側（Ｙ１側）へ押し出し、カッター８０を取り外す補助機能を果たす。
【００２３】
筒体２０の後側部２３の中央には、開口穴２４が形成してある。この開口穴２４の奥側には、開口穴２４の中心側に突き出たフランジ部２５が形成してある。前記カッター位置固定構造４０の筒座４１の基部（Ｚ２側）には内側壁４１１が形成してあり、この内側壁４１１がフランジ部２５に当たっている。
【００２４】
前記フレキシブルプッシュアップ構造部４３は、スプリング４３１とプッシュブロック４３２からなる。プッシュブロック４３２の先端側（Ｚ１側）には、錐縁部４３３が形成してあり、これが位置固定ボール４２に当たっている。スプリング４３１は、プッシュブロック４３２と内側壁４１１との間に組み込んであり、プッシュブロック４３２をカッター差込側２２側（Ｚ１方向）にプッシュアップする。
【００２５】
取り外し用補助部品６０のうち受動側６１の近くの部位に、凸環縁６３が形成してある。取り外し用補助部品置き部５０の第一開口側５１には、凸環縁６３の変位を案内する動きを案内する拡張スロット５３が形成してある。拡張スロット５３の開口側（Ｚ２側）には、凸環縁６３を係止する止め環５４が固定してある。これによって、取り外し用補助部品６０の移動する範囲が制限されて、取り外し用補助部品６０が取り外し用補助部品置き部５０から抜け出ることが防止されている。
【００２６】
本考案の主な核心設計の技術的特徴は、筒体２０に、取り外し用補助部品６０を保持するための取り外し用補助部品置き部５０が設けてあることである。
【００２７】
次に、上記構成のカッター用ソケットＡの操作及び動作について説明する。
【００２８】
図５はカッター８０がカッター用ソケットＡに取り付けてあるときの状態を示す。取り外し用補助部品６０は受動側６１が第一開口側５１に突き出ている。
【００２９】
カッター８０をカッター用ソケットＡから取り外すときには、受動側６１を予定した外力Ｌ１（自動切削加工装置にある押付部品でもよい）で第一開口側５１内に押し込む。
【００３０】
これによって、取り外し用補助部品６０の押付側６２は第二開口側５２よりＹ１側に出てカッタースロット３０の中に突き出して、カッター８０をＺ１方向へ押す。
【００３１】
カッター８０は、位置固定ボール４２を通し孔４１０内に押し込みつつ、カッター用ソケットＡよりＹ１方向へ押し出されてカッター用ソケットＡから取り外される。なお、カッター８０は、カッタースロット３０から離れ、カッター８０とカッタースロット３０との間に、テーパが締まった状態の場合に起こるカッター取り外し機構へ過大な荷重が発生することが避けられる。
【００３２】
図６は、外力Ｌ１の作用を解除したときの状態を示す。凸環縁６３と拡張スロット５３の奥側壁５３ａとの間に設けてあるプッシュアップスプリング７０によって、取り外し用補助部品６０は矢印Ｌ２で示すようにＺ２方向に移動されて、受動側６１の方向へリセットされる。
【００３３】
なお、カッター用ソケットＡのカッタースロット３０に差し込み可能であるカッターのタイプは多い。例えば、図４に示すカッター８０は、業界でいう
“ＨＳＫ”タイプであり、図７に示すカッター８０Ｂは、業界でいう “ＳＡＮＤＶＩＫ”タイプであり、図８に示すカッター８０Ｃは、業界でいう “ＫＭ”タイプである。当業者は、前記カッター用ソケットＡのカッタースロット３０に他の特別のタイプのカッターを設けることができることは理解できるはずである。
【００３４】
次に、本考案のカッター用ソケットＡが奏する効果について説明する。
【００３５】
本考案の「取り外し補助機能付きのカッター用ソケット」は、筒体に取り外し用補助部品を設けるのに利用される取り外し用補助部品置き部を設けたオリジナルな構成により、前記の背景技術に記載した従来の構造に比較して、自動切削加工装置におけるカッター用ソケットのカッタースロットからカッターを取り外すとき、取り外し用補助部品の押し出しにより、カッターを外へ突き出す作用力が作用され、カッターとカッタースロットとの間の締まった嵌め合い状態が確実に解除され、カッター取り外し機構の負荷が軽減され、カッターへの取り外し補助、保護が達成され、仕事の安全性が向上、装置の使用寿命が延びる、という実用性、進歩性を有し、産業利用効果に好適なものである。
【００３６】
即ち、スプリングとプッシュブロックからなる記フレキシブルプッシュアップ構造部により、プッシュブロックと筒座の内側壁の間をスプリングプッシュアップする構造をなしており、前記の背景技術に記載した従来の構造に比較すれば、本考案では、従来の構造に設けられる金属スライドバー部品が不要となり、部品が簡単化し、材料コスト削減につながり、産業利用効果に好適なものである。  
上述の実施例は本考案を具体的に説明したものであり、文中では特定の専門用語を用いて説明しているが、本考案の範囲を限定するものではなく、この技術分野を熟知した人は本考案の精神及び原則を逸脱しない限り、本考案に変更または改良を加えることができる。しかし、それらの変更または改良は全て実用新案登録請求の範囲の範疇に含まれるものである。
【図面の簡単な説明】
【００３７】
【図１】従来のカッター用ソケットの断面図である。
【図２】本考案の実施例１になるカッター用ソケットの斜視図である。
【図３】図２のカッター用ソケットを一部分解して示す斜視図である。
【図４】図２のカッター用ソケットの一部を断面して示す図である。
【図５】カッターを取り外すときの状態を示す図である。
【図６】外力Ｌ１の作用を解除したときの取り外し用補助部品の状態を拡大して示す図である。
【図７】ＳＡＮＤＶＩＫタイプのカッターに対応するカッター用ソケットの斜視図である。
【図８】ＫＭタイプのカッターに対応するカッター用ソケットの斜視図である。
【符号の説明】
【００３８】
Ａ  カッター用ソケット
２０  筒体
２１  組付け部
２２  カッター差込側
２３  後側部
２４  内凹み槽
２５  フランジ部
３０  カッタースロット
４０  カッター位置固定構造
４１  筒座
４１０  通し孔
４１１  内側壁
４２  位置固定ボール
４３  フレキシブルプッシュアップ構造部
４３１  スプリング
４３２  プッシュブロック
４３３  錐縁部
５０  取り外し用補助部品置き部
５１  第一開口側
５２  第二開口側
５３  拡張スロット
５４  止め環
６０  取り外し用補助部品
６１  受動側
６２  押付側
６３  凸環縁
７０  プッシュアップスプリング
８０、８０Ｂ、８０  カッター
【図１】
0003148446.tif 000003
【図２】
0003148446.tif 000004
【図３】
0003148446.tif 000005
【図４】
0003148446.tif 000006
【図５】
0003148446.tif 000007
【図６】
0003148446.tif 000008
【図７】
0003148446.tif 000009
【図８】
0003148446.tif 000010